(57)【要約】【解決手段】ミラー装置には固定部材４が当てがわれる本体５の両側で長手方向Ｘへ延設した鍔部７と係止溝とを設けている。固定部材４にはミラー装置が当てがわれる取付部で外側挟持板１２及び内側挟持板１３の両側に挟着部１８，１９を設けている。鍔部７及び係止溝に対し挟着部１８，１９が係止解除された係止解除位置と係止された係止位置Ｑとの間で、固定部材４を外側挟持板１２及び内側挟持板１３の挟着部１８，１９とともに一体的にミラー装置の本体５に対し回動させることができるとともに、係止位置Ｑで固定部材４を停止させることができる。固定部材４を係止位置Ｑから安定性良く案内しながらミラー装置の本体５の長手方向Ｘへ移動させて適宜位置で位置決めすることができる。【効果】ミラー装置や多光軸光電センサに対する固定部材４の取付作業を容易にすることができる。【選択図】図３
2008262848.tif 000002
【特許請求の範囲】
【請求項１】
多光軸光電センサからの光を反射させるミラーを有するミラー装置を取付箇所に固定部材を介して取り付け、このミラー装置には、この固定部材が当てがわれる長尺状の取付部の両側で、ミラー装置の長手方向へ延設した鍔部とその鍔部の内側でその鍔部に沿って延設した係止溝とを有する係止部を設けるとともに、この固定部材にはこのミラー装置が当てがわれる取付部の両側に係止部を設けたミラー装置取付構造において、
このミラー装置の取付部とこの固定部材の取付部とのうち、一方の取付部の両係止部間に他方の取付部を嵌め込んだ状態で、一方の取付部の両係止部と他方の取付部の両係止部とが互いに係止解除された係止解除位置と、一方の取付部の両係止部と他方の取付部の両係止部とが互いに係止された係止位置との間で、この固定部材をその取付部の両係止部とともに一体的にミラー装置に対し回動させることができ、この固定部材をミラー装置に対しこの係止解除位置から係止位置へ回動させた際にこの係止位置で固定部材の回動を阻止するストッパをこの固定部材及びミラー装置の取付部に設け、
この係止位置で固定部材の両係止部をミラー装置の両係止部に対しミラー装置の長手方向へ移動させることができ、
この係止位置で固定部材をミラー装置に対し回動不能にかつ長手方向への移動不能に位置決めし得る固定手段を設けた
ことを特徴とするミラー装置取付構造。
【請求項２】
多光軸光電センサを取付箇所に固定部材を介して取り付け、この多光軸光電センサには、この固定部材が当てがわれる長尺状の取付部の両側で、多光軸光電センサの長手方向へ延設した鍔部とその鍔部の内側でその鍔部に沿って延設した係止溝とを有する係止部を設けるとともに、この固定部材にはこの多光軸光電センサが当てがわれる取付部の両側に係止部を設けた多光軸光電センサ取付構造において、
この多光軸光電センサの取付部とこの固定部材の取付部とのうち、一方の取付部の両係止部間に他方の取付部を嵌め込んだ状態で、一方の取付部の両係止部と他方の取付部の両係止部とが互いに係止解除された係止解除位置と、一方の取付部の両係止部と他方の取付部の両係止部とが互いに係止された係止位置との間で、この固定部材をその取付部の両係止部とともに一体的に多光軸光電センサに対し回動させることができ、この固定部材を多光軸光電センサに対しこの係止解除位置から係止位置へ回動させた際にこの係止位置で固定部材の回動を阻止するストッパをこの固定部材及び多光軸光電センサの取付部に設け、
この係止位置で固定部材の両係止部を多光軸光電センサの両係止部に対し多光軸光電センサの長手方向へ移動させることができ、
この係止位置で固定部材を多光軸光電センサに対し回動不能にかつ長手方向への移動不能に位置決めし得る固定手段を設けた
ことを特徴とする多光軸光電センサ取付構造。
【請求項３】
前記固定部材の取付部における両係止部はそれぞれ一対の挟着部を有し、前記ミラー装置の取付部における両係止部の鍔部はそれぞれ前記係止位置でこの両挟着部間に挟持され、この固定部材の両挟着部はミラー装置の係止部に対し前記固定手段により位置決めされることを特徴とする請求項１に記載のミラー装置取付構造。
【請求項４】
前記固定部材の取付部における両係止部はそれぞれ一対の挟着部を有し、前記多光軸光電センサの取付部における両係止部の鍔部はそれぞれ前記係止位置でこの両挟着部間に挟持され、この固定部材の両挟着部は多光軸光電センサの係止部に対し前記固定手段により位置決めされることを特徴とする請求項２に記載の多光軸光電センサ取付構造。
【請求項５】
前記固定部材の取付部は一対の挟持板を有し、前記挟着部はこの両挟持板の両側に設けられ、前記係止位置でこの両挟持板を前記固定手段により互いに締め付けることを特徴とする請求項３に記載のミラー装置取付構造。
【請求項６】
前記固定部材の取付部は一対の挟持板を有し、前記挟着部はこの両挟持板の両側に設けられ、前記係止位置でこの両挟持板を前記固定手段により互いに締め付けることを特徴とする請求項４に記載の多光軸光電センサ取付構造。
【請求項７】
前記固定部材の取付部の両挟持板は、前記取付箇所側に設けた一方の外側挟持板と、前記ミラー装置の取付部側に設けた他方の内側挟持板とを有し、この外側挟持板にはその取付箇所に対する連結部を設けたことを特徴とする請求項５に記載のミラー装置取付構造。
【請求項８】
前記固定部材の取付部の両挟持板は、前記取付箇所側に設けた一方の外側挟持板と、前記多光軸光電センサの取付部側に設けた他方の内側挟持板とを有し、この外側挟持板にはその取付箇所に対する連結部を設けたことを特徴とする請求項６に記載の多光軸光電センサ取付構造。
【請求項９】
前記外側挟持板には前記内側挟持板を押すことができる指挿入孔を設けたことを特徴とする請求項７に記載のミラー装置取付構造。
【請求項１０】
前記外側挟持板には前記内側挟持板を押すことができる指挿入孔を設けたことを特徴とする請求項８に記載の多光軸光電センサ取付構造。
【請求項１１】
前記ミラー装置の取付部の両側に設けた係止部における鍔部が前記係止位置で前記外側挟持板の挟着部と内側挟持板の挟着部との間で挟持されるとともに、前記ミラー装置の取付部の両側に設けた係止部における係止溝に前記係止位置でこの内側挟持板の挟着部が係入され、この係止位置でこの外側挟持板と内側挟持板とを前記固定手段により互いに締め付けていない状態で、この外側挟持板及び内側挟持板の挟着部とこの鍔部及び係止溝とが前記ストッパで案内されながら互いに摺動して前記固定部材をこのミラー装置の取付部に対しミラー装置の長手方向に沿って移動させることができることを特徴とする請求項７または請求項９に記載のミラー装置取付構造。
【請求項１２】
前記多光軸光電センサの取付部の両側に設けた係止部における鍔部が前記係止位置で前記外側挟持板の挟着部と内側挟持板の挟着部との間で挟持されるとともに、前記多光軸光電センサの取付部の両側に設けた係止部における係止溝に前記係止位置でこの内側挟持板の挟着部が係入され、この係止位置でこの外側挟持板と内側挟持板とを前記固定手段により互いに締め付けていない状態で、この外側挟持板及び内側挟持板の挟着部とこの鍔部及び係止溝とが前記ストッパで案内されながら互いに摺動して前記固定部材をこの多光軸光電センサの取付部に対し多光軸光電センサの長手方向に沿って移動させることができることを特徴とする請求項８または請求項１０に記載の多光軸光電センサ取付構造。
【請求項１３】
前記内側挟持板の挟着部の端縁は前記外側挟持板の挟着部の端縁に沿って延び、この外側挟持板及び内側挟持板の挟着部の端縁は前記係止位置で前記鍔部及び係止溝に沿って延び、前記ストッパはこの内側挟持板の挟着部の端縁とこの係止溝の内側とに設けられていることを特徴とする請求項１１に記載のミラー装置取付構造。
【請求項１４】
前記内側挟持板の挟着部の端縁は前記外側挟持板の挟着部の端縁に沿って延び、この外側挟持板及び内側挟持板の挟着部の端縁は前記係止位置で前記鍔部及び係止溝に沿って延び、前記ストッパはこの内側挟持板の挟着部の端縁とこの係止溝の内側とに設けられていることを特徴とする請求項１２に記載の多光軸光電センサ取付構造。
【発明の詳細な説明】
【技術分野】
【０００１】
本発明は、多光軸光電センサからの光を反射させるミラーを有するミラー装置や多光軸光電センサを機枠や壁などの取付箇所に固定部材を介して取り付けた取付構造に関するものである。
【背景技術】
【０００２】
図８に示す従来の長尺物取付構造は、取付箇所３に長尺物を固定部材４を介して取り付けたものである。この長尺物には、この固定部材４が当てがわれる長尺状の取付部６の両側で、互いに間隔をあけて平行に長尺物の長手方向Ｘへ延設した鍔部７とその鍔部７の内側でその鍔部７に沿って延設した係止溝８とを有する係止部を設けるとともに、この固定部材４にはこの長尺物が当てがわれる取付部１１の両側に係止部（外側挟持板１２の挟着部１８及び内側挟持爪１３の挟着部１９）を互いに間隔をあけて設けている。この両内側挟持爪１３はこの外側挟持板１２の両側でそれぞれ互いに独立して回動可能に固定ねじ２０により支持されている。この長尺物の取付部６の両係止部（鍔部７及び係止溝８）間にこの固定部材４の取付部１１を嵌め込んだ状態で、両内側挟持爪１３をそれぞれ別々に外側挟持板１２に対し回動させると、この固定部材４は係止位置Ｑと係止解除位置Ｐとを取る。この係止位置Ｑでは、両内側挟持爪１３の挟着部１９が係止溝８に係入されて鍔部７が両挟着部１８，１９間で挟持される。この係止解除位置Ｐでは、両内側挟持爪１３の挟着部１９が係止溝８から離脱する。
【発明の開示】
【発明が解決しようとする課題】
【０００３】
しかし、固定部材４を係止位置Ｑや係止解除位置Ｐにする際、両固定ねじ２０を緩めた状態で、両内側挟持爪１３をそれぞれ別々に外側挟持板１２に対し回動させなければならず、長尺物に対する固定部材４の取付作業が面倒であった。
【０００４】
この発明は、ミラー装置や多光軸光電センサに対する固定部材の取付作業を容易にすることを目的としている。
【課題を解決するための手段】
【０００５】
後記実施形態の図面（図１〜４に示す第１実施形態、図５に示す第２実施形態、図６に示す第３実施形態、図７に示す第４実施形態）の符号を援用して本発明を説明する。
【０００６】
請求項１の発明にかかるミラー装置取付構造または請求項２の発明にかかる多光軸光電センサ取付構造は、取付箇所３に長尺物（ミラー装置２、多光軸光電センサ１）を固定部材４を介して取り付けたものであって、第１〜４実施形態に対応し、下記のように構成されている。
【０００７】
この長尺物（ミラー装置２、多光軸光電センサ１）には、この固定部材４が当てがわれる長尺状の取付部６の両側で、長尺物（ミラー装置２、多光軸光電センサ１）の長手方向Ｘへ延設した鍔部７，９とその鍔部７，９の内側でその鍔部７，９に沿って延設した係止溝８，１０とを有する係止部を設けるとともに、この固定部材４にはこの長尺物（ミラー装置２、多光軸光電センサ１）が当てがわれる取付部１１の両側に係止部１８，１９，２２を設けている。この長尺物（ミラー装置２、多光軸光電センサ１）の取付部６とこの固定部材４の取付部１１とのうち、一方の取付部６の両係止部７，９，８，１０間に他方の取付部１１を嵌め込んだ状態で、一方の取付部６の両係止部７，９，８，１０と他方の取付部１１の両係止部１８，１９，２２とが互いに係止解除された係止解除位置Ｐと、一方の取付部６の両係止部７，９，８，１０と他方の取付部１１の両係止部１８，１９，２２とが互いに係止された係止位置Ｑとの間で、この固定部材４をその取付部１１の両係止部１８，１９，２２とともに一体的に長尺物（ミラー装置２、多光軸光電センサ１）に対し回動させることができる。この固定部材４を長尺物（ミラー装置２、多光軸光電センサ１）に対しこの係止解除位置Ｐから係止位置Ｑへ回動させた際にこの係止位置Ｑで固定部材４の回動を阻止するストッパ１９ａ，８ａ，１０ａ，２２ａをこの固定部材４及び長尺物（ミラー装置２、多光軸光電センサ１）の取付部６に設けている。この係止位置Ｑで固定部材４の両係止部１８，１９，２２を長尺物（ミラー装置２、多光軸光電センサ１）の両係止部７，９，８，１０に対し長尺物（ミラー装置２、多光軸光電センサ１）の長手方向Ｘへ移動させることができる。この係止位置Ｑで固定部材４を長尺物（ミラー装置２、多光軸光電センサ１）に対し回動不能にかつ長手方向Ｘへの移動不能に位置決めし得る固定手段２０を設けている。
【０００８】
請求項１〜２の発明では、固定部材４をその取付部１１の両係止部１８，１９，２２とともに一体的に長尺物（ミラー装置２、多光軸光電センサ１）に対し回動させるだけの簡単な動作のみで係止位置Ｑと係止解除位置Ｐとに変更することができる。また、その係止位置Ｑで固定部材４をストッパ１９ａ，８ａ，１０ａ，２２ａにより停止させることができる。
【０００９】
請求項１の発明を前提とする請求項３の発明（第１実施形態に対応）または請求項２の発明を前提とする請求項４の発明（第１実施形態に対応）において、前記固定部材４の取付部１１の両係止部はそれぞれ一対の挟着部１８，１９を有し、前記長尺物（ミラー装置２、多光軸光電センサ１）の取付部６の両係止部の鍔部７はそれぞれ前記係止位置Ｑでこの両挟着部１８，１９間に挟持され、この固定部材４の両挟着部１８，１９は長尺物（ミラー装置２、多光軸光電センサ１）の係止部７，８に対し前記固定手段２０により位置決めされる。
【００１０】
請求項３〜４の発明では、長尺物（ミラー装置２、多光軸光電センサ１）に対し固定部材４を簡単な構造で固定手段２０により位置決めすることができる。
【００１１】
請求項３の発明を前提とする請求項５の発明（第１実施形態に対応）または請求項４の発明を前提とする請求項６の発明（第１実施形態に対応）において、前記固定部材４の取付部１１は一対の挟持板１２，１３を有し、前記挟着部１８，１９はこの両挟持板１２，１３の両側に設けられ、前記係止位置Ｑでこの両挟持板１２，１３を前記固定手段２０により互いに締め付ける。
【００１２】
請求項５〜６の発明では、固定部材４の取付部１１を簡単な構造にすることができる。
【００１３】
請求項５の発明を前提とする請求項７の発明（第１実施形態に対応）または請求項６の発明を前提とする請求項８の発明（第１実施形態に対応）において、前記固定部材４の取付部１１の両挟持板１２，１３は、前記取付箇所３側に設けた一方の外側挟持板１２と、前記長尺物（ミラー装置２、多光軸光電センサ１）の取付部６側に設けた他方の内側挟持板１３とを有し、この外側挟持板１２にはその取付箇所３に対する連結部１４，１５を設けた。
【００１４】
請求項７〜８の発明では、固定部材４の取付部１１や取付箇所３に対する固定部材４の連結構造を簡単な構造にすることができる。
【００１５】
請求項７の発明を前提とする請求項９の発明（第１実施形態に対応）または請求項８の発明を前提とする請求項１０の発明（第１実施形態に対応）において、前記外側挟持板１２には前記内側挟持板１３を押すことができる指挿入孔２１を設けた。
【００１６】
請求項９〜１０の発明では、外側挟持板１２の挟着部１８と内側挟持板１３の挟着部１９との間の間隔を広げてそれらの挟着部１８，１９間に鍔部７を係入し易くすることができる。
【００１７】
請求項７または請求項９の発明を前提とする請求項１１の発明（第１実施形態に対応）または請求項８または請求項１０の発明を前提とする請求項１２の発明（第１実施形態に対応）において、前記長尺物（ミラー装置２、多光軸光電センサ１）の取付部６の両側に設けた係止部における鍔部７が前記係止位置Ｑで前記外側挟持板１２の挟着部１８と内側挟持板１３の挟着部１９との間で挟持されるとともに、前記長尺物（ミラー装置２、多光軸光電センサ１）の取付部６の両側に設けた係止部における係止溝８に前記係止位置Ｑでこの内側挟持板１３の挟着部１９が係入され、この係止位置Ｑでこの外側挟持板１２と内側挟持板１３とを前記固定手段２０により互いに締め付けていない状態で、この外側挟持板１２及び内側挟持板１３の挟着部１８，１９とこの鍔部７及び係止溝８とが前記ストッパ１９ａ，８ａで案内されながら互いに摺動して前記固定部材４をこの長尺物（ミラー装置２、多光軸光電センサ１）の取付部６に対し長尺物（ミラー装置２、多光軸光電センサ１）の長手方向Ｘに沿って移動させることができる。
【００１８】
請求項１１〜１２の発明では、固定部材４の取付部１１を簡単な構造にすることができるとともに、固定部材４を係止位置Ｑからストッパ１９ａ，８ａで案内しながら長尺物（ミラー装置２、多光軸光電センサ１）の長手方向Ｘへ移動させて適宜位置で固定手段２０により位置決めすることができる。
【００１９】
請求項１１の発明を前提とする請求項１３の発明（第１実施形態に対応）または請求項１２の発明を前提とする請求項１４の発明（第１実施形態に対応）において、前記内側挟持板１３の挟着部１９の端縁１９ａは前記外側挟持板１２の挟着部１８の端縁１８ａに沿って延び、この外側挟持板１２及び内側挟持板１３の挟着部１８，１９の端縁１８ａ，１９ａは前記係止位置Ｑで前記鍔部７及び係止溝８に沿って延び、前記ストッパはこの内側挟持板１３の挟着部１９の端縁１９ａとこの係止溝８の内側８ａとに設けられている。
【００２０】
請求項１３〜１４の発明では、固定部材４を長尺物（ミラー装置２、多光軸光電センサ１）に対しその長手方向Ｘへ安定性良く案内することができる。
【発明の効果】
【００２１】
本発明は、ミラー装置２や多光軸光電センサ１に対する固定部材４の取付作業を容易にすることができる。
【発明を実施するための最良の形態】
【００２２】
まず、本発明の第１実施形態にかかるミラー装置取付構造について図１〜４を参照して説明する。
【００２３】
図１（ａ）に示すように、多光軸光電センサ１（投光器）から発せられた光Ｌは、一対のミラー装置２のミラー２ａで反射して多光軸光電センサ１（受光器）に至る。この多光軸光電センサ１（投光器または受光器）やミラー装置２は、長尺物であって、機枠や壁などの取付箇所３に対し図１（ｂ）に示す取付具の固定部材４により固定されている。
【００２４】
図１（ｃ）に示すミラー装置２においては、図２に示すように、長尺状の本体５の正面側にミラー２ａが嵌め込まれ、この長尺物本体５の背面側には前記取付具の固定部材４に当てがわれる取付部６が設けられている。この取付部６においては、図３にも示すように、長尺物本体５の長手方向Ｘに対し直交する幅方向Ｙの両側で、係止部としての鍔部７が内側へ突出した状態で互いに幅方向Ｙの間隔をあけて平行に長尺物本体５の長手方向Ｘの全体に延設されているとともに、この鍔部７の内側で係止部としての係止溝８がその鍔部７に沿って延設されている。また、この取付部６においては、これらの鍔部７間の中央部で係止部としての鍔部９が鍔部７に相対向して突出した状態で互いに幅方向Ｙの間隔をあけて平行に長尺物本体５の長手方向Ｘの全体に延設されているとともに、この鍔部９の内側で係止部としての係止溝１０がその鍔部９に沿って延設されている。
【００２５】
前記取付具の固定部材４は、外側挟持板１２と内側挟持板１３と有する取付部１１と、前記取付箇所３に取着される連結部としてのブラケット１４とからなる。この外側挟持板１２と一体成形された連結部１５は、このブラケット１４に対し支軸１６により長尺物本体５の長手方向Ｘへ延びる中心線１６ａを中心にして回動可能に支持され、その中心線１６ａを中心とする回動調節位置で両連結ねじ１７によりこのブラケット１４に位置決めされる。この外側挟持板１２の両側には係止部としての挟着部１８が互いに間隔をあけて形成されているとともに、この内側挟持板１３の両側には係止部としての挟着部１９が互いに間隔をあけて形成され、この両挟着部１８と両挟着部１９とが互いに重ねられた状態でこの外側挟持板１２と内側挟持板１３とが固定手段としての一対の固定ねじ２０により相対回動不能に連結されている。この外側挟持板１２の両挟着部１８の端縁１８ａは前記支軸１６の中心線１６ａに対し平行に延びている。この内側挟持板１３はこの中心線１６ａに対し傾斜して延設され、この内側挟持板１３の両挟着部１９の端縁１９ａはこの中心線１６ａに対し平行に延びている。そのため、この両挟着部１９の端縁１９ａ間を結ぶ両対角線のうち、一方の対角線の長さが前記長尺物本体５の両係止溝８の間隔と略等しくなっているとともに、他方の対角線の長さがこの両係止溝８の間隔よりも大きくなっている。この両挟着部１９の端縁１９ａのうち、一方の端縁１９ａは前記両挟着部１８の端縁１８ａのうち一方の端縁１８ａの下半部にのみ面しているとともに、他方の端縁１９ａは前記両挟着部１８の端縁１８ａのうち他方の端縁１８ａの上半部にのみ面している。この外側挟持板１２には両固定ねじ２０間で指挿入孔２１が形成されている。この両固定ねじ２０を外側挟持板１２に対し回動させると、この両固定ねじ２０が内側挟持板１３に対し螺合されてこの外側挟持板１２と内側挟持板１３とが互いに締め付けられる。
【００２６】
さて、図１（ｃ）に示すように、前記取付具の固定部材４はミラー装置２に対しその長手方向Ｘに沿う四箇所で配設される。図４，２に示すように、前記両固定ねじ２０を緩めた状態で前記固定部材４の取付部１１を長尺物本体５の取付部６に嵌め込んで前記支軸１６の中心線１６ａを長尺物本体５の長手方向Ｘに対し斜めにした係止解除位置Ｐでは、前記外側挟持板１２の両挟着部１８の端縁１８ａと前記内側挟持板１３の両挟着部１９の端縁１９ａもそれぞれ長手方向Ｘに対し傾斜し、この両挟着部１９の端縁１９ａがこの取付部６の両係止溝８から外れている。図３，２に示すように、この係止解除位置Ｐからこの固定部材４を回動させると、この両挟着部１９の端縁１９ａがこの両係止溝８に係入されてその内側８ａに対しストッパとして当接し、この固定部材４は係止位置Ｑで停止する。この係止位置Ｑでは、前記支軸１６の中心線１６ａが長手方向Ｘに対し平行になり、この両挟着部１８の端縁１８ａがこの取付部６の両鍔部７の外側でその両鍔部７に沿って延びるとともに、この両挟着部１９の端縁１９ａがこの取付部６の両係止溝８に係入されて両鍔部７の内側でその両鍔部７に沿って延び、この両鍔部７がこの両挟着部１８とこの両挟着部１９との間に挟まれる。この固定部材４を回動させる際、外側挟持板１２の指挿入孔２１に指を入れて内側挟持板１３を押すと、両挟着部１８と両挟着部１９との間の間隔を広げることができる。前記両固定ねじ２０を緩めた状態ではこの係止位置Ｑでも外側挟持板１２及び内側挟持板１３の挟着部１８，１９と鍔部７及び係止溝８とが互いに摺動して固定部材４を長尺物本体５の取付部６に対し長尺物本体５の長手方向Ｘに沿って移動させることができる。この係止位置Ｑで長尺物本体５に対する固定部材４の位置が決まれば、両固定ねじ２０を締め付けて外側挟持板１２の両挟着部１８と内側挟持板１３の両挟着部１９との間で両鍔部７を挟着し、固定部材４を長尺物本体５に対し回動不能にかつ長手方向Ｘへの移動不能に位置決めする。その後、各固定部材４を取付箇所３に対しブラケット１４で取着する。
【００２７】
一方、両固定ねじ２０を緩めた状態で、前記係止位置Ｑから固定部材４を回動させると、固定部材４は前記係止解除位置Ｐとなる。
【００２８】
図１（ａ）に示す多光軸光電センサ１（投光器または受光器）の長尺物本体５を機枠や壁などの取付箇所３に対し取付具の固定部材４により固定する場合も、前述したミラー装置２の場合と同様である。
【００２９】
次に、本発明の第２実施形態にかかるミラー装置取付構造について第１実施形態との相違点を中心に図５を参照して説明する。
【００３０】
前記外側挟持板１２が省略されている。前記内側挟持板１３に該当する係止板１３の両側には前記挟着部１９に該当する係止部１９が形成されている。この係止板１３には両固定ねじ２０が螺合されている。この両固定ねじ２０を回動させると、この両固定ねじ２０が取付部６に当接して両係止部１９が両鍔部７に圧接される。
【００３１】
次に、本発明の第３実施形態にかかるミラー装置取付構造について第１実施形態との相違点を中心に図６を参照して説明する。
【００３２】
前記外側挟持板１２及び内側挟持板１３が省略され、それらに代わる取付部１１の両側に形成された係止部としての爪部２２が係止位置Ｑで両係止溝１０に係入されてこの両爪部２２の端縁２２ａが両係止溝１０の内側１０ａにストッパとして当接する。この取付部１１には固定ねじ２０が螺合されている。この固定ねじ２０を回動させると、この固定ねじ２０が取付部６に当接して両爪部２２が両鍔部９に圧接される。
【００３３】
次に、本発明の第４実施形態にかかるミラー装置取付構造について第１実施形態との相違点を中心に図７を参照して説明する。
【００３４】
前記外側挟持板１２が省略されている。前記内側挟持板１３に該当する係止板１３の両側には前記挟着部１９に該当する係止部１９が内側向きで相対向して形成されている。前記長尺物本体５の取付部６の両側には鍔部７及び係止溝８が外側向きで形成されている。この両係止部１９がこの両係止溝８に係入されてこの両係止部１９の端縁１９ａが両係止溝８の内側８ａにストッパとして当接する。この係止板１３には両固定ねじ２０が螺合されている。この両固定ねじ２０を回動させると、両固定ねじ２０が取付部６に当接して両係止部１９が両鍔部７に圧接される。
【００３５】
前記第１〜４実施形態の別例において、図１（ａ）に示す多光軸光電センサ１（投光器または受光器）を機枠や壁などの取付箇所３に対し取付具の固定部材４により固定する場合も、前記第１〜４実施形態のミラー装置２の場合と同様である。
【００３６】
本実施形態は下記の効果を有する。
【００３７】
＊  第１〜４実施形態及びその別例では、固定部材４をその取付部１１とともに一体的にミラー装置２及び多光軸光電センサ１の長尺物本体５の取付部６に対し回動させるだけの簡単な動作のみで係止位置Ｑと係止解除位置Ｐとに変更して、その係止位置Ｑで固定部材４を簡単な構造により停止させるとともに位置決めすることができる。
【００３８】
＊  第１〜４実施形態及びその別例では、固定部材４を係止位置Ｑから安定性良く案内しながらミラー装置２及び多光軸光電センサ１の長手方向Ｘへ移動させて適宜位置で位置決めすることができる。
【００３９】
＊  第１実施形態及びその別例では、内側挟持板１３を押すことができる指挿入孔２１を外側挟持板１２に設けたので、それらの挟着部１８，１９間の間隔を広げてそれらの挟着部１８，１９間に鍔部７を係入し易くすることができる。
【００４０】
前記実施形態以外にも例えば下記のように構成してもよい。
【００４１】
・  第１実施形態では、固定部材４の取付部１１が外側挟持板１２及び内側挟持板１３を有し、この外側挟持板１２及び内側挟持板１３の両側に挟着部１８，１９が設けられている。そのほか、固定部材において一枚の取付部の両側にそれぞれ相対動可能な両挟着部を設けてもよい。その際、この固定部材をその取付部の両側の両挟着部とともに一体的に回動させることができる。
【００４２】
・  第１実施形態では取付箇所３に対する連結部１５を外側挟持板１２に設けたが、この連結部を内側挟持板に設けてもよい。
【図面の簡単な説明】
【００４３】
【図１】（ａ）は第１実施形態にかかるミラー装置取付具及び多光軸光電センサ取付具の使用状態を概略的に示す平面図であり、（ｂ）はこれらの取付具を分解して示す斜視図であり、（ｃ）はミラー装置取付具の使用状態を概略的に示す側面図である。
【図２】（ａ）は図１（ｂ）のＡ−Ａ線拡大断面図であり、（ｂ）は（ａ）の部分拡大図である。
【図３】（ａ）は長尺物に装着した上記取付具の係止位置を示す部分背面図であり、（ｂ）は同じく（ａ）の一部切欠き部分背面図である。
【図４】（ａ）は長尺物に装着した上記取付具の係止解除位置を示す部分背面図であり、（ｂ）は同じく（ａ）の一部切欠き部分背面図である。
【図５】（ａ）は第２実施形態において図２（ａ）に相当する拡大断面図であり、（ｂ）は（ａ）の部分拡大図であり、（ｃ）は同じく図３（ａ）に相当する部分背面図であり、（ｄ）は同じく図４（ａ）に相当する部分背面図である。
【図６】（ａ）は第３実施形態において図２（ａ）に相当する拡大断面図であり、（ｂ）は（ａ）の部分拡大図であり、（ｃ）は同じく図３（ａ）に相当する部分背面図であり、（ｄ）は同じく図４（ａ）に相当する部分背面図である。
【図７】（ａ）は第４実施形態において図２（ａ）に相当する拡大断面図であり、（ｂ）は（ａ）の部分拡大図であり、（ｃ）は同じく図３（ａ）に相当する部分背面図であり、（ｄ）は同じく図４（ａ）に相当する部分背面図である。
【図８】（ａ）は従来の長尺物取付構造において図２（ａ）に相当する拡大断面図であり、（ｂ）は（ａ）の部分拡大図であり、（ｃ）は同じく図３（ａ）に相当する部分背面図であり、（ｄ）は同じく図４（ａ）に相当する部分背面図である。
【符号の説明】
【００４４】
１…長尺物としての多光軸光電センサ、２…長尺物としてのミラー装置、２ａ…ミラー、３…取付箇所、４…固定部材、５…長尺物本体、６…長尺物本体の取付部、７…取付部の鍔部（係止部）、８…取付部の係止溝（係止部）、８ａ…係止溝の内側（ストッパ）、９…取付部の鍔部（係止部）、１０…取付部の係止溝（係止部）、１０ａ…係止溝の内側（ストッパ）、１１…固定部材の取付部、１２…取付部の外側挟持板、１３…取付部の内側挟持板または係止板、１４…連結部としてのブラケット、１５…連結部、１８…外側挟持板の挟着部（係止部）、１８ａ…挟着部の端縁、１９…内側挟持板の挟着部（係止部）、１９ａ…挟着部の端縁（ストッパ）、２０…固定手段としての固定ねじ、２１…指挿入孔、２２…爪部（係止部）、２２ａ…爪部の端縁、Ｐ…係止解除位置、Ｑ…係止位置、Ｘ…長尺物本体の長手方向。
【図１】
2008262848.tif 000003
【図２】
2008262848.tif 000004
【図３】
2008262848.tif 000005
【図４】
2008262848.tif 000006
【図５】
2008262848.tif 000007
【図６】
2008262848.tif 000008
【図７】
2008262848.tif 000009
【図８】
2008262848.tif 000010